(57)【特許請求の範囲】
【請求項１】
下枠、この下枠上に互いに間隔をおいて立設されている一対の縦枠及びこれらの縦枠間に固定されている上枠を含むかご枠と、上記縦枠間で上記下枠上に支持されているかご室とを有するせり上げ式のエレベータ用のかごを、昇降路内に吊り下げるためのエレベータのかご吊下装置において、上記昇降路内に固定される固定金具と、上記一対の縦枠の上端部にそれぞれ取り付けられる複数の懸吊具と、上記固定金具と上記懸吊具との間に連結され、上記かごを上記固定金具から吊り下げる吊下具とを備えていることを特徴とするエレベータのかご吊下装置。
【請求項２】
一対の固定金具が、一対の縦枠の上方で昇降路の天井に固定されていることを特徴とする請求項１記載のエレベータのかご吊下装置。
【請求項３】
かご枠に取り付けられているガイドシューへの懸吊具の干渉を防止するためのスペーサが、上記懸吊具と縦枠との間に介在されていることを特徴とする請求項１又は請求項２に記載のエレベータのかご吊下装置。
【請求項４】
下枠、この下枠上に互いに間隔をおいて立設されている一対の縦枠及びこれらの縦枠間に固定されている上枠を含むかご枠と、上記縦枠間で上記下枠上に支持されているかご室とを有するせり上げ式のエレベータ用のかごを、昇降路内に吊り下げるためのエレベータのかご吊下方法において、上記昇降路内に固定金具を固定するとともに、上記縦枠の上端部に複数の懸吊具をそれぞれ取り付け、上記固定金具と上記懸吊具との間に吊下具を連結することにより、上記かごを上記固定金具から吊り下げることを特徴とするエレベータのかご吊下方法。
【発明の詳細な説明】
【０００１】
【発明の属する技術分野】
この発明は、例えばエレベータの改修時等にかごを主ロープによらず昇降路に暫定的に吊り下げるためのエレベータのかご吊下装置及びかご吊下方法に関するものである。
【０００２】
【従来の技術】
図１０は例えば特開昭６２−２６４１８２号公報に示された従来のかご吊下装置の使用状態を示す構成図である。図において、１は昇降路、２は昇降路１内に設置されている一対のガイドレール、３はガイドレール２に沿って昇降路１内を昇降されるかごであり、このかご３は、かご枠４と、このかご枠４に支持されているかご室５とを有している。
【０００３】
また、かご枠４は、かご室５を支持する下枠４ａと、下枠４ａ上に設けられている一対の縦枠４ｂと、縦枠４ｂの上端部間に固定されている上枠（上梁）４ｃとを有している。
【０００４】
６はガイドレール２に固定されている固定金具、７はかご枠４の上枠４ｃと固定金具６との間に連結され、固定金具６からかご３を吊り下げるチェーンブロックであり、従来のかご吊下装置は、固定金具６とチェーンブロック７とにより構成されている。
【０００５】
上記のような従来のエレベータでは、通常運転時には、上枠４ｃに連結される主ロープ（図示せず）により、昇降路１内にかご３が吊り下げられる。これに対し、改修時等に主ロープをかご３から取り外す必要がある場合には、図１０に示したようなかご吊下装置により、かご３が昇降路１内に吊り下げられる。
【０００６】
【発明が解決しようとする課題】
上記のような従来のエレベータでは、上枠４ｃが通常運転時のかご吊りに耐える強度を有しているため、かご吊下装置を用いる場合にもチェーンブロック７を上枠４ｃに連結してかご３を吊り下げることができるが、例えばせり上げ式のエレベータなど、通常運転時に下枠４ａからかご３を吊り上げるタイプのエレベータでは、上枠４ｃがかご吊りに耐える強度を有していないため、従来のかご吊下装置を適用することができなかった。
【０００７】
この発明は、上記のような問題点を解決することを課題としてなされたものであり、上枠がかご吊りに耐える強度を有していないかごについても昇降路内に吊り下げることができるエレベータのかご吊下装置及びかご吊下方法を得ることを目的とする。
【０００８】
【課題を解決するための手段】
請求項１の発明に係るエレベータのかご吊下装置は、下枠、この下枠上に互いに間隔をおいて立設されている一対の縦枠及びこれらの縦枠間に固定されている上枠を含むかご枠と、縦枠間で下枠上に支持されているかご室とを有するせり上げ式のエレベータ用のかごを、昇降路内に吊り下げるためのものにおいて、昇降路内に固定される固定金具と、一対の縦枠の上端部にそれぞれ取り付けられる複数の懸吊具と、固定金具と懸吊具との間に連結され、かごを固定金具から吊り下げる吊下具とを備えたものである。
【０００９】
請求項２の発明に係るエレベータのかご吊下装置は、一対の縦枠の上方で昇降路の天井に、一対の固定金具を固定したものである。
【００１０】
請求項３の発明に係るエレベータのかご吊下装置は、かご枠に取り付けられているガイドシューへの懸吊具の干渉を防止するためのスペーサを、懸吊具と縦枠との間に介在させたものである。
【００１１】
請求項４の発明に係るエレベータのかご吊下方法は、下枠、この下枠上に互いに間隔をおいて立設されている一対の縦枠及びこれらの縦枠間に固定されている上枠を含むかご枠と、縦枠間で下枠上に支持されているかご室とを有するせり上げ式のエレベータ用のかごを、昇降路内に吊り下げるための方法において、昇降路内に固定金具を固定するとともに、縦枠の上端部に複数の懸吊具をそれぞれ取り付け、固定金具と懸吊具との間に吊下具を連結することにより、かごを固定金具から吊り下げるものである。
【００１２】
【発明の実施の形態】
以下、この発明の実施の形態を図について説明する。
実施の形態１．
図１はこの発明の実施の形態１によるかご吊下装置の使用状態を示す正面図、図２は図１のＩＩ−ＩＩ線断面図、図３は図１のＩＩＩ−ＩＩＩ線断面図、図４は図３のＩＶ部を拡大して示す正面図、図５は図４の側面図である。
【００１３】
図において、１１は昇降路、１２は昇降路１１内に設置されている一対のガイドレール、１３はガイドレール１２に沿って昇降路１１内を昇降されるかごであり、このかご１３は、かご枠１４と、このかご枠１４に支持されているかご室１５とを有している。
【００１４】
また、かご枠１４は、かご室１５を支持する下枠（下梁）１４ａと、下枠１４ａ上に互いに間隔をおいて設けられている断面コ字状の一対の縦枠（柱）１４ｂと、縦枠１４ｂの上端部間に固定されている上枠１４ｃとを有している。さらに、上枠１４ｃは、図２に示すように、前部梁１４ｄ、後部梁１４ｅ、及びこれら前部梁１４ｄと後部梁１４ｅとの間に固定されている一対の側部梁１４ｆにより構成されている。
【００１５】
１６はかご枠１４に固定され、ガイドレール１２に係合される複数のガイドシュー、１７は下枠１４ａに固定されている吊り車梁、１８は吊り車梁１７に支持されている回転自在の一対の吊り車であり、通常運転時には、これらの吊り車１８に巻き掛けられる主ロープ１９によりかご１３が昇降路１１内に吊り下げられる。また、吊り車１８とガイドレール１２との干渉を避けるため、吊り車梁１７は下枠１４ａに対して斜めに固定されている。
【００１６】
２１は一対のガイドレール１２にそれぞれ固定されている一対の固定金具、２２は一対の縦枠１４ｂの上端部にそれぞれ２組ずつ取り付けられている懸吊具であり、これらの懸吊具２２は、Ｕ字状の吊り金具２３と、この吊り金具２３を縦枠１４ｂに取り付ける締結具（ボルト）２４とを有している。２５は固定金具２１と懸吊具２２との間に連結され、かご２３を固定金具２１から吊り下げる吊下具としての一対のチェーンブロックである。
【００１７】
このようなエレベータでは、通常運転時の吊り荷重を下枠１４ａが受けるため、上枠１４ｃはかご吊りに耐える強度を有していないが、懸吊具２２が縦枠１４ｂに取り付けられており、かご吊下装置を使用したときの吊り荷重は、縦枠１４ｂに主に引張荷重として作用するため、かご１３を安定して吊り下げることができる。
【００１８】
なお、例えば図６に示すように、チェーンブロック２５を垂直に吊り下げることができる固定金具３１を用いることにより、水平方向への荷重が縦枠１４ｂに作用せず、かご１３をさらに安定して吊り下げることができる。
【００１９】
実施の形態２．
次に、図７はこの発明の実施の形態２によるかご吊下装置の使用状態を示す正面図である。この例では、一対の固定金具２６が、一対の縦枠１４ｂの真上でアンカボルト２７により昇降路１１の天井１１ａに固定されている。他の構成は、実施の形態１と同様である。
【００２０】
このようなかご吊下装置では、固定金具２６が縦枠１４ｂの真上に配置されているため、チェーンブロック２５が鉛直に配置され、縦枠１４ｂには引張荷重のみがかかるようになる。従って、縦枠１４ｂを折り曲げる方向の荷重が作用せず、かご１３をさらに安定して吊り下げることができる。
【００２１】
実施の形態３．
次に、図８はこの発明の実施の形態３によるかご吊下装置の要部を示す正面図、図９は図８の側面図である。この例では、ガイドシュー１６への懸吊具２２の干渉を防止するための筒状のスペーサ（カラー）２８が、懸吊具２２と縦枠１４ｂとの間に介在されている。このスペーサ２８としては、例えば鉄製のパイプを使用することができる。他の構成は、実施の形態１と同様である。
【００２２】
ここで、縦枠１４ｂに取り付けられた懸吊具２２に遊びがある場合、図４の２点鎖線に示すように、吊り金具２３が横方向へ移動してガイドシュー１６に衝突し、ガイドシュー１６が破損する恐れがある。これに対して、スペーサ２８に締結具２４を挿通させて懸吊具２２の遊びを無くすことにより、吊り金具２３がガイドシュー１６に干渉するのが防止される。
【００２３】
【発明の効果】
以上説明したように、請求項１の発明のエレベータのかご吊下装置は、縦枠の上端部にそれぞれ懸吊具を取り付け、かごの吊り荷重を縦枠に主に引張荷重として作用させるようにしたので、上枠がかご吊りに耐える強度を有していないかごについても昇降路内に安定して吊り下げることができる。
【００２４】
請求項２の発明のエレベータのかご吊下装置は、縦枠の上方で昇降路の天井に一対の固定金具を固定したので、縦枠には引張荷重のみがかかるようになり、縦枠を折り曲げる方向の荷重が作用せず、かごをさらに安定して吊り下げることができる。
【００２５】
請求項３の発明のエレベータのかご吊下装置は、ガイドシューへの懸吊具の干渉を防止するためのスペーサを、懸吊具と縦枠との間に介在させたので、懸吊具の干渉によるガイドシューの破損を防止することができる。
【００２６】
請求項４の発明のエレベータのかご吊下方法は、昇降路内に固定金具を固定するとともに、縦枠の上端部に複数の懸吊具をそれぞれ取り付け、固定金具と懸吊具との間に吊下具を連結することにより、かごを固定金具から吊り下げるようにしたので、上枠がかご吊りに耐える強度を有していないかごについても昇降路内に安定して吊り下げることができる。
【図面の簡単な説明】
【図１】  この発明の実施の形態１によるかご吊下装置の使用状態を示す正面図である。
【図２】  図１のＩＩ−ＩＩ線断面図である。
【図３】  図１のＩＩＩ−ＩＩＩ線断面図である。
【図４】  図３のＩＶ部を拡大して示す正面図である。
【図５】  図４の側面図である。
【図６】  この発明の実施の形態１の他の例を示す正面図である。
【図７】  この発明の実施の形態２によるかご吊下装置の使用状態を示す正面図である。
【図８】  この発明の実施の形態３によるかご吊下装置の要部を示す正面図である。
【図９】  図８の側面図である。
【図１０】  従来のかご吊下装置の一例の使用状態を示す構成図である。
【符号の説明】
１１  昇降路、１１ａ  天井、１２  ガイドレール、１３  かご、１４  かご枠、１４ａ  下枠、１４ｂ  縦枠、１４ｃ  上枠、１５  かご室、１６  ガイドシュー、２１  固定金具、２２  懸吊具、２５  チェーンブロック（吊下具）、２６  固定金具、２８  スペーサ。
【図１】
0003907843.tif 000002
【図２】
0003907843.tif 000003
【図３】
0003907843.tif 000004
【図４】
0003907843.tif 000005
【図５】
0003907843.tif 000006
【図６】
0003907843.tif 000007
【図７】
0003907843.tif 000008
【図８】
0003907843.tif 000009
【図９】
0003907843.tif 000010
【図１０】
0003907843.tif 000011